(57)【要約】【課題】ズームファインダにおいて、部品点数を増やすことなく、フリクション付与部材の可塑変形を防止する。【解決手段】フリクション付与部１１ｅは、支持部材１１ｄに連設され、光軸Ｌ方向に長いアーム部３１と、これとほぼ直角に連設された摺接部３２とからなる。ズーミング操作の直後に行われるズームレンズのピント合せ時には、ギア２１が逆回転するが、突起２１ａが溝２７ａ内を移動するのみであるとともに、フリクション付与部１１ｅが凸部２８の周面２８ｃに摺接して円筒カム２２にフリクションを与えているから、円筒カム２２は回転せず、ズーミング操作を止めた時点のファインダ視野が維持される。ズームレンズが沈胴位置になると、フリクション付与部１１ｅの摺接部３２が切欠き２８ｄに入り込み、フリクション付与部１１ｅに負荷がかからないから、長期間の不使用時でも、フリクション付与部１１ｅに可塑変形が生じることがない。【選択図】        図１
2005274720.tif 000002
【特許請求の範囲】
【請求項１】
樹脂製のファインダ枠内に少なくとも１つのレンズを光軸方向に移動自在に設け、これらのレンズをカムの作動により移動させてファインダ視野の倍率を変更するズームファインダにおいて、
前記カムの外面に摺接してカムにフリクションを与えるフリクション付与部をファインダ枠と一体に形成したことを特徴とするズームファインダ。
【請求項２】
焦点距離を段階的に変化させるとともに各焦点距離毎にピント合せを行うステップ式のズームレンズの駆動に連動して作動するカムにより少なくとも１つのレンズを光軸方向に移動させ、ファインダ視野の倍率を変更するズームファインダにおいて、
前記複数個のレンズを光軸方向に移動自在に収納する樹脂製のファインダ枠に、前記カムの外面に摺接してカムにフリクションを与えるフリクション付与部を一体に形成したことを特徴とするズームファインダ。
【請求項３】
前記カムが所定の位置ある時にフリクション付与部の少なくとも一部が入り込み、カムの外面から受けるフリクション付与部の負荷が軽減される又は無しとなる凹部をカムの外面の一部に設けたことを特徴とする請求項１または２記載のズームファインダ。
【発明の詳細な説明】
【技術分野】
【０００１】
本発明は、ズームレンズ、殊にはステップ式のズームレンズを備えたカメラに設けられ、ズームレンズの焦点距離に対応したファインダ視野を提供するズームファインダに関するものである。
【背景技術】
【０００２】
焦点距離を段階的に変化させるとともに、各焦点距離毎にピント合せを行うステップ式のズームレンズが知られている。このようなステップ式のズームレンズは、焦点距離を変更した直後に駆動モータを逆回転させてピント合せを行っている。前記ズームレンズに連動してズームレンズの焦点距離に対応した倍率のファインダ視野を提供するズームファインダが知られている。
【０００３】
前記ズームファインダは、前記ズームレンズのピント合せ時にもズームレンズに連動すると、ファインダ倍率が変わってしまうため、ピント合せ時に連動を切る機構を有している。例えば、特許文献１では、ズームレンズの鏡筒の動きをズームファインダに伝達する第一レバー，第二レバーが設けられ、第一レバーに植設されたピンが第二レバーに形成された長穴に係合している。
【０００４】
ズームレンズのピント合せ時には、第一レバーのピンが第二レバーの長穴の範囲内だけで移動することにより、ズームレンズの鏡筒の動きがズームファインダに伝達されないようになっている。この時、第二レバーはフリー状態になるため、第二レバーが不用意に変位しないように、バネ挟圧部材が第二レバーを挟んでフリクションを与えている。
【０００５】
【特許文献１】特開平９−２５１１７８号公報
【発明の開示】
【発明が解決しようとする課題】
【０００６】
上記特許文献１では、上述したように、フリクション付与部材としてのバネ挟圧部材が必要である。このため、部品点数が増加するという欠点がある。また、バネ挟圧部材は、常に第二レバーを挟んでフリクションを与え続けているため、長期間経過後には、可塑変形を起こして、第二レバーにフリクションを与える機能が低下するという問題がある。
【０００７】
本発明は、部品点数を増やすことなく、フリクション付与部材の可塑変形を防止するズームファインダを提供することを目的とする。
【課題を解決するための手段】
【０００８】
本発明のズームファインダは、樹脂製のファインダ枠内に少なくとも１つのレンズを光軸方向に移動自在に設け、これらのレンズをカムの作動により移動させてファインダ視野の倍率を変更するズームファインダにおいて、前記カムの外面に摺接してカムにフリクションを与えるフリクション付与部をファインダ枠と一体に形成したことを特徴とする。
【０００９】
また、焦点距離を段階的に変化させるとともに各焦点距離毎にピント合せを行うステップ式のズームレンズの駆動に連動して作動するカムにより少なくとも１つのレンズを光軸方向に移動させ、ファインダ視野の倍率を変更するズームファインダにおいて、前記少なくとも１つのレンズを光軸方向に移動自在に収納する樹脂製のファインダ枠に、前記カムの外面に摺接してカムにフリクションを与えるフリクション付与部を一体に形成したことを特徴とする。
【００１０】
また、前記カムが所定の位置ある時にフリクション付与部の少なくとも一部が入り込み、カムの外面から受けるフリクション付与部の負荷が軽減される又は無しとなる凹部をカムの外面の一部に設けたことを特徴とする。
【発明の効果】
【００１１】
本発明のズームファインダは、カムの外面に摺接してカムにフリクションを与えるフリクション付与部をファインダ枠と一体に形成したので、フリクション付与部を別部材として用意する必要がなく、部品点数の増加を防止できる。
【００１２】
また、ステップ式のズームレンズの駆動に連動して作動するカムの外面に摺接してカムにフリクションを与えるフリクション付与部を樹脂製のファインダ枠に一体に形成したので、フリクション付与部を別部材として用意する必要がなく、部品点数の増加を防止できる。
【００１３】
また、カムが所定の位置ある時にフリクション付与部の少なくとも一部が入り込み、カムの外面から受けるフリクション付与部の負荷が軽減される凹部をカムの外面の一部に設けたので、フリクション付与部の可塑変形を防止できる。
【発明を実施するための最良の形態】
【００１４】
本発明のズームファインダを示す図１において、ズームファインダ１０は、撮影レンズとしてステップ式のズームレンズを搭載したカメラの上部に組み込まれ、ズームレンズの焦点距離に対応した倍率のファインダ視野を提供する。なお、通常のズームレンズは、所定範囲内（例えば３５ｍｍ〜７０ｍｍ）の全ての焦点距離でピントが自動的に合う（ズーミング中でも常にピントが合う）が、ステップ式のズームレンズは、焦点距離を段階的に変化させるとともに、焦点距離を変化させた後、その都度、ピント合せを行う。
【００１５】
ズームファインダ１０のファインダ枠１１は樹脂成形されている。ファインダ枠１１の光軸Ｌ方向に長い四角い筒状をした箱部１１ａの中には、対物レンズ１５と移動レンズ１６とが光軸Ｌ方向に移動自在に組み込まれ、箱部１１ａの外壁に設けられた平たい円筒形状のレンズ受け部１１ｂには、接眼レンズ１７が固定されている。前記対物レンズ１５と移動レンズ１６との間には、バネ１８が懸け渡されており、互いに接近する方向に付勢されている（図３参照）。
【００１６】
箱部１１ａの側方に突出形成された支持部材１１ｃ，１１ｄの間には、ギア２１と円筒カム２２とが同軸上に回動自在に設けられている。前記ギア２１は、ギア２３〜２５を介して、ズームレンズの固定鏡筒の周りに設けられたリングギア（図示せず）に噛合しており、ズームレンズのズーミングとピント合せとを行う駆動モータによって回転される。
【００１７】
前記円筒カム２２は、軸部２７と、この周面から突出形成された凸部２８とからなる。軸部２７の周面からの段差を構成する凸部２８の端面が、軸方向に対して異なる傾斜角で形成されたカム面２８ａ，２８ｂになっている。カム面２８ａには、対物レンズ１５と一体成形されたピン１５ａ（図３参照）が当接し、カム面２８ｂには、移動レンズ１６と一体成形されたピン１６ａ（図３参照）が当接している。すなわち、円筒カム２２が回転されることにより、対物レンズ１５と移動レンズ１６とがそれぞれ光軸Ｌ方向に移動されるとともに対物レンズ１５と移動レンズ１６の間隔が変更され、ズームファインダ１０のファインダ倍率が変更される。
【００１８】
ギア２１の円筒カム２２側の片面には、突起２１ａが一体に形成され、これが、図２に示すように、軸部２７に形成された扇形の溝２７ａに遊嵌している。すなわち、ズームレンズが焦点距離を変更している（変倍している）最中には、突起２１ａが溝２７ａのいずれか一方の端面を押して円筒カム２２を回転させ、ズームファインダ１０のファインダ倍率の変更を行うが、焦点距離の変更が終わって、ギア２１が逆回転し、ズームレンズのピント合せが行われる時には、突起２１ａが溝２７ａ内を移動して円筒カム２２を回転させないようになっている。
【００１９】
ところが、前記ピント合せ時には、円筒カム２２は自由に回転可能な状態であるため、対物レンズ１５と移動レンズ１６との位置関係がずれてズームファインダ１０のファインダ倍率が変更されてしまうことがある。このため、円筒カム２２の凸部２８の周面２８ｃに摺接して円筒カム２２にフリクションを与えるフリクション付与部１１ｅがファインダ枠１１と一体に形成されている。
【００２０】
前記フリクション付与部１１ｅは、支持部材１１ｄに連設され、光軸Ｌ方向に長い角棒状のアーム部３１と、このアーム部３１とほぼ直角に連設され、凸部２８の周面２８ｃに摺接する摺接部３２とからなる。この摺接部３２の先端部３２ａは、凸部２８の周面２８ｃを傷つけないように、丸められている（図４，図５参照）。摺接部３２の先端部３２ａが凸部２８の周面２８ｃに摺接した状態では、アーム部３１が弾性変形して、摺接部３２が周面２８ｃに適度なフリクションを与える。
【００２１】
前記円筒カム２２の凸部２８には、円筒カム２２の凹部である切欠き２８ｄが形成され、これに連設して、図３に示すように、リブ２８ｅが形成されている。このリブ２８ｅは、円筒カム２２の内側に肉抜き部２８ｆを設けたため、摺接部３２の受け部として設けられている。
【００２２】
ズームレンズが沈胴位置にある時には、摺接部３２が切欠き２８ｄに入り込み、リブ２８ｅの端面に軽く当接する。この状態では、アーム部３１はほとんど弾性変形しておらず、フリクション付与部１１ｅが受ける負荷はきわめて軽い状態であるから、カメラを長期間使用しない場合でも、フリクション付与部１１ｅが可塑変形することがない。
【００２３】
なお、対物レンズ１５，移動レンズ１６は、光軸Ｌと平行にファインダ枠１１に組み込まれた軸３５に挿通される円筒部１５ｂ，１６ｂを有し、前記ピン１５ａ，１６ａは、円筒部１５ｂ，１６ｂの外周面に一体に形成されている。
【００２４】
このように構成されたズームファインダ１０の作用について説明する。カメラの電源がオフになっている状態では、ズームレンズは沈胴位置にある。この時、図１及び図４に示すように、フリクション付与部１１ｅの摺接部３２が切欠き２８ｄに入り込み、先端部３２ａがリブ２８ｅの端面に軽く当接しているか、又は、全く当接していないようになっている。
【００２５】
この状態では、フリクション付与部１１ｅにほとんど負荷がかかっていないから、カメラを長期間使用しない場合でも、フリクション付与部１１ｅのアーム部３１等に可塑変形が生じることがなく、円筒カム２２にフリクションを与えるというフリクション付与部１１ｅの機能が低下するようなおそれはない。
【００２６】
カメラの電源をオンにすると、駆動モータによりズームレンズが沈胴位置からカメラの前方に繰り出されるとともに、ギア２３〜２５を介してギア２１が回転される。ただ単に、カメラの電源をオンにしただけでは、突起２１ａが溝２７ａ内を移動するのみで、円筒カム２２が回転せず、ファインダ視野は最も広角になっている。
【００２７】
ユーザがズーミングレバーを操作して、ズームレンズを望遠側にズーミングすると、ギア２１が回転して突起２１ａが溝２７ａの端面を押し、円筒カム２２が図４，図５の図面上で反時計方向へ回動する。リブ２８ｃの端面はテーパーになっているから、これに摺接部３２の先端部３２ａが押されてアーム部３１が弾性変形し、摺接部３２の先端部３２ａが凸部２８の周面２８ｃに摺接されるようになる。
【００２８】
アーム部３１の弾性により摺接部３２の先端部３２ａが凸部２８の周面２８ｃに押しつけられ、適度なフリクションが円筒カム２２に与えられる。筒カム２２の回動により、対物レンズ１５と移動レンズ１６とが互いに接近する方向に移動し、ズームレンズの焦点距離に対応した倍率のファインダ視野がユーザに提供される。
【００２９】
ユーザがズーミング操作を止めると、駆動モータが逆回転し、ズームレンズのピント合せが行われる。これに伴って、ギア２１も逆回転するが、図２に示すように、突起２１ａが溝２７ａ内を移動するのみで、溝２７ａの端面を押すことがないとともに、フリクション付与部１１ｅによって円筒カム２２にフリクションが与えられているから、円筒カム２２はそのままの位置で停止している。すなわち、ズームファインダ１０は、ユーザがズーミング操作を止めた時点のファインダ視野を維持する。
【００３０】
ユーザが望遠側から広角側へズーミング操作を行う場合も、円筒カム２２等の回転方向が逆になるだけで、上述した動作と同様であるから説明を省略する。カメラの電源をオフにすると、ズームレンズが沈胴位置へ向かって移動するとともに、円筒カム２２が時計方向に回動される。ズームレンズが沈胴位置に達すると、摺接部３２が切欠き２８ｄに入り込んでリブ２８ｅに当接し、フリクション付与部１１ｅにかかっていた負荷がほぼゼロに近い程度に解除される。
【００３１】
以上説明した実施形態では、フリクション付与部を光軸Ｌ方向に長いアーム部と、このアーム部とほぼ直角に連設した摺接部とから構成したが、本発明はこれに限定されることなく、ファインダ枠と一体に形成され、円筒カムの周面に適度なフリクション（バネ１８の力量で円筒カム２２が回転するのを阻止する力量）を付与できるようなものであれば、どのような形状のものでもよい。
【００３２】
また、上記実施形態では、ズームレンズが沈胴位置にある時には、フリクション付与部の摺接部が切欠きに入り込み、リブの端面に当接するようにしたが、円筒カムに肉抜き部を設けない場合には、円筒カムに摺接部が入り込む凹部を形成する。
【００３３】
また、上記実施形態では、フリクション付与部の摺接部が切欠きに入り込み、リブの端面に軽く当接した状態では、アーム部がほとんど弾性変形しておらず、フリクション付与部への負荷がほとんどゼロに近い状態としたが、摺接部がリブの端面に全く接触せず、フリクション付与部にかかる負荷が全くのゼロとなるようにしてもよい。
【００３４】
また、上記実施形態は、対物レンズと移動レンズとの２個のレンズを移動させてファインダ視野の倍率を変更するズームファインダに適用した例であったが、本発明はこれに限定されることなく、例えば１個のレンズを移動させることによりファインダ視野の倍率を変更するズームファインダにも適用できる。また、上記実施形態では、円筒カムの回転によりレンズの移動を行ったが、本発明はこれに限定されることなく、例えば平板状のカムを移動させることによりレンズの移動を行ってもよい。
【図面の簡単な説明】
【００３５】
【図１】ズームファインダの外観を円筒カム側から示す斜視図である。
【図２】円筒カムの軸部の溝とギアの突起との関係を示す説明図である。
【図３】ファインダ枠を省略した状態で主要な構成をズームファインダの下方から示す斜視図である。
【図４】沈胴時の図１のＩＶ−ＩＶ断面を示す断面図である。
【図５】望遠側にズーミングした時の図１のＩＶ−ＩＶ断面を示す断面図である。
【符号の説明】
【００３６】
１０  ズームファインダ
１１  ファインダ枠
１１ｅ  フリクション付与部
１５  対物レンズ
１６  移動レンズ
１７  接眼レンズ
１８  バネ
２２  円筒カム
２７  軸部
２７ａ  溝
２８  凸部
２８ａ，２８ｂ  カム面
２８ｃ  周面
２８ｄ  切欠き
２８ｅ  リブ
３１  アーム部
３２  摺接部
【図１】
2005274720.tif 000003
【図２】
2005274720.tif 000004
【図３】
2005274720.tif 000005
【図４】
2005274720.tif 000006
【図５】
2005274720.tif 000007